(57)【要約】      （修正有）【課題】外蓋を開回転方向に回転せしめて中栓の破断可能薄肉ラインを破断する際の必要トルクが小さく、破断可能薄肉ラインを容易に破断することが可能な新規の容器蓋を提供すること。【解決手段】外蓋６が螺着された状態で且つ外蓋６が未だ開方向に回転せしめられていない状態において、中栓４のラチェット部１８の下端及び外蓋６のラチェット爪４４の下端は、破断可能薄肉ライン１０を規定する薄肉残留部１４の下面よりも下方に位置し、外蓋６を開方向に回転せしめると、外蓋６は回転と共に上昇せしめられるが、外蓋６のラチェット爪４４の下端が破断可能薄肉ライン１０を規定している薄肉残留部１４の上面を超えるまでに或いは超えた直後に破断可能薄肉ライン１０が破断されるようにする。【選択図】図１
2020192987.tif 000002
【特許請求の範囲】
【請求項１】
容器の口頸部に装着される合成樹脂製中栓、及び該中栓又は該口頸部に離脱自在に螺着される合成樹脂製外蓋を具備し、
該中栓は破断可能薄肉ラインによって規定された除去領域を有する閉塞壁を含み、該破断可能薄肉ラインは該閉塞壁の下面又は上面に溝を形成して薄肉残留部を残留せしめることによって規定されており、該閉塞壁の該除去領域には上方に延出する円筒形被係止壁が形成されており、該被係止壁の内周面又は外周面には、周方向に間隔をおいて複数個のラチェット部が配設されており、
該外蓋は天面壁と該天面壁の内面から垂下する円筒形係止壁とを含み、該係止壁の外周面又は内周面には、周方向に間隔をおいて複数個のラチェット爪が配設されており、
該外蓋が螺着された状態においては、該外蓋の該ラチェット爪が該中栓の該ラチェット部に対向して位置し、該外蓋を開方向に回転せしめると該外蓋のラチェット爪及び該中栓のラチェット部を介して該中栓に力が伝えられ、該破断可能薄肉ラインに応力が生成され該破断可能薄肉ラインが破断される容器蓋において、
該外蓋が螺着された状態で且つ該外蓋が未だ開方向に回転せしめられていない状態において、該中栓のラチェット部の下端及び該外蓋のラチェット爪の下端は、該破断可能薄肉ラインを規定する該薄肉残留部の下面よりも下方に位置し、
該外蓋を該開方向に回転せしめると、該外蓋は回転と共に上昇せしめられ、該外蓋の該ラチェット爪の下端が該破断可能薄肉ラインを規定している該薄肉残留部の上面を超えるまでに或いは超えた直後に該破断可能薄肉ラインが破断される、
ことを特徴とする容器蓋。
【請求項２】
該被係止壁の内周面に該ラチェット部が配設されると共に該係止壁の外周面に該ラチェット爪が配設されており、該外蓋を螺着した状態において該係止壁は該被係止壁の内側に位置する、請求項１記載の容器蓋。
【請求項３】
該中栓は該破断可能薄肉ラインの半径方向外方に配設されている円筒形装着壁を含み、該装着壁の外周面には雄螺条が形成されており、該外蓋は該天面壁の周縁から垂下するスカート壁を含み、該スカート壁の内周面には雌螺条が形成されており、該雄螺条に該雌螺条を螺合することによって該中栓に該外蓋が螺着される、請求項１又は２記載の容器蓋。
【請求項４】
該外蓋が螺着された状態で且つ該外蓋が未だ開方向に回転せしめられていないときの該中栓に対する該外蓋の上下方向位置を初期位置とし、該初期位置から該外蓋を開方向に回転せしめて該外蓋の該ラチェット爪と該中栓のラチェット部との係合が開始するときの該中栓に対する該外蓋の上下方向位置を係合位置とすると、
該初期位置から該係合位置までの該外蓋の上下方向移動距離は、該初期位置における該外蓋の該ラチェット爪の下端から該薄肉残留部の上面までの上下方向距離以下である、請求項１乃至３のいずれかに記載の容器蓋。
【発明の詳細な説明】
【技術分野】
【０００１】
本発明は、容器の口頸部に装着される合成樹脂製中栓、及び中栓又は容器の口頸部に装着される外蓋を具備する容器蓋に関する。
【背景技術】
【０００２】
飲料或いは調味料用の容器に好都合に適用される容器蓋として、下記特許文献１には容器の口頸部に装着される合成樹脂製中栓及び容器の口頸部に螺着される外蓋から構成された容器蓋が開示されている。中栓は破断可能薄肉ラインによって規定された除去領域を有する閉塞壁を含んでいる。閉塞壁の除去領域には上方に延出する円筒形被係止壁が形成されており、被係止壁の内周面又は外周面には周方向に間隔をおいて複数個のラチェット部が配設されている。外蓋は天面壁とこの天面壁の内面から垂下する円筒形係止壁とを含んでいる。係止壁の外周面又は内周面には周方向に間隔をおいて複数個のラチェット爪が配設されている。外蓋が螺着された状態においては、外蓋のラチェット爪が中栓のラチェット部に対向して位置し、外蓋を開方向に回転せしめると外蓋のラチェット爪及び中栓のラチェット部を介して中栓に力が伝えられ、破断可能薄肉ラインに応力が生成され破断可能薄肉ラインが破断される。
【先行技術文献】
【特許文献】
【０００３】
【特許文献１】特許第５８０４８４７号公報
【発明の概要】
【発明が解決しようとする課題】
【０００４】
然るに、上述した形態の従来の容器蓋には、外蓋を開回転方向に回転せしめて中栓の破断可能薄肉ラインを破断する際の必要トルクが相当大きく、子供乃至女性にとっては破断可能薄肉ラインの破断が困難である、という解決すべき問題がある。
【課題を解決するための手段】
【０００５】
本発明者等は、従来の容器蓋に存在する上記のとおりの問題について検討を加えた結果、従来の容器蓋においては、外蓋が、螺着された状態から開方向に回転せしめられると、外蓋のラチェット爪が破断可能薄肉ラインを規定している薄肉残留部の上面に対して相当上方に離間した時点で、外蓋のラチェット爪と中栓のラチェット部が協働し始めて破断可能薄肉ラインの薄肉残留部に応力が作用し始める、換言すれば破断可能薄肉ラインの薄肉残留部に対してこれよりも相当上方から作用する力によって薄肉残留部に応力が生成されることに起因して、破断可能薄肉ラインの破断に相当大きなトルクが必要となることを認識した。
【０００６】
本発明者等は上記認識に基づき更に検討を重ね、外蓋が螺着された状態で且つ外蓋が未だ開方向に回転せしめられていない状態において、中栓のラチェット部の下端及び外蓋のラチェット爪の下端は、破断可能薄肉ラインを規定する薄肉残留部の下面よりも下方に位置し、外蓋を開方向に回転せしめると、外蓋は回転と共に上昇せしめられ、外蓋のラチェット爪の下端が破断可能薄肉ラインを規定している薄肉残留部の上面を超えるまでに或いは超えた直後に破断可能薄肉ラインが破断されるようにすることで、上記の問題が解決されることを見出した。
【０００７】
即ち、本発明によれば、上記の問題を解決する容器蓋として、容器の口頸部に装着される合成樹脂製中栓、及び該中栓又は該口頸部に離脱自在に螺着される合成樹脂製外蓋を具備し、
該中栓は破断可能薄肉ラインによって規定された除去領域を有する閉塞壁を含み、該破断可能薄肉ラインは該閉塞壁の下面又は上面に溝を形成して薄肉残留部を残留せしめることによって規定されており、該閉塞壁の該除去領域には上方に延出する円筒形被係止壁が形成されており、該被係止壁の内周面又は外周面には、周方向に間隔をおいて複数個のラチェット部が配設されており、
該外蓋は天面壁と該天面壁の内面から垂下する円筒形係止壁とを含み、該係止壁の外周面又は内周面には、周方向に間隔をおいて複数個のラチェット爪が配設されており、
該外蓋が螺着された状態においては、該外蓋の該ラチェット爪が該中栓の該ラチェット部に対向して位置し、該外蓋を開方向に回転せしめると該外蓋のラチェット爪及び該中栓のラチェット部を介して該中栓に力が伝えられ、該破断可能薄肉ラインに応力が生成され該破断可能薄肉ラインが破断される容器蓋において、
該外蓋が螺着された状態で且つ該外蓋が未だ開方向に回転せしめられていない状態において、該中栓のラチェット部の下端及び該外蓋のラチェット爪の下端は、該破断可能薄肉ラインを規定する該薄肉残留部の下面よりも下方に位置し、
該外蓋を該開方向に回転せしめると、該外蓋は回転と共に上昇せしめられ、該外蓋の該ラチェット爪の下端が該破断可能薄肉ラインを規定している該薄肉残留部の上面を超えるまでに或いは超えた直後に該破断可能薄肉ラインが破断される、
ことを特徴とする容器蓋が提供される。
【０００８】
好ましくは、該被係止壁の内周面に該ラチェット部が配設されると共に該係止壁の外周面に該ラチェット爪が配設されており、該外蓋を螺着した状態において該係止壁は該被係止壁の内側に位置する。該中栓は該破断可能薄肉ラインの半径方向外方に配設されている円筒形装着壁を含み、該装着壁の外周面には雄螺条が形成されており、該外蓋は該天面壁の周縁から垂下するスカート壁を含み、該スカート壁の内周面には雌螺条が形成されており、該雄螺条に該雌螺条を螺合することによって該中栓に該外蓋が螺着されるのが好適である。該外蓋が螺着された状態で且つ該外蓋が未だ開方向に回転せしめられていないときの該中栓に対する該外蓋の上下方向位置を初期位置とし、該初期位置から該外蓋を開方向に回転せしめて該外蓋の該ラチェット爪と該中栓のラチェット部との係合が開始するときの該中栓に対する該外蓋の上下方向位置を係合位置とすると、該初期位置から該係合位置までの該外蓋の上下方向移動距離は、該初期位置における該外蓋の該ラチェット爪の下端から該薄肉残留部の上面までの上下方向距離以下であるのがよい。
【発明の効果】
【０００９】
本発明の容器蓋においては、外蓋のラチェット爪と中栓のラチェット部とは、外蓋のラチェット爪の下端が破断可能薄肉ラインを規定する薄肉残留部の下面よりも下方にあるときから共働を開始し、破断可能薄肉ラインに応力が生成される間、外蓋のラチェット爪下端は、破断可能薄肉ラインを規定する薄肉残留部の上面に対し軸方向に超えない位置、或いはその近傍に位置する。これにより、外蓋のラチェット爪から中栓のラチェット部を介して中栓に伝えられる力は破断可能薄肉ラインを規定する薄肉残留部に効果的に作用し、破断可能薄肉ラインを破断する際の必要トルクが低減する。
【図面の簡単な説明】
【００１０】
【図１】本発明に従って構成された容器蓋の好適実施形態を容器の口頸部に装着した状態において、一部を断面で示す正面図。
【図２】図１に示す容器蓋における中栓の斜視図。
【図３】図１に示す容器蓋における中栓の一部を断面で示す正面図。
【図４】図１に示す容器蓋における中栓の平面図。
【図５】図１に示す容器蓋における中栓の底面図。
【図６】図１に示す容器蓋における外蓋の斜視図。
【図７】図１に示す容器蓋における外蓋の一部を断面で示す正面図。
【図８】図１に示す容器蓋における外蓋の底面図。
【図９】図１のＸ部の部分拡大図。
【図１０】図１に示す状態から図６の外蓋を図２の中栓に対して開方向に回転せしめて、破断可能薄肉ラインが破断した状態の、一部を断面で示す正面図。
【図１１】図１０のＸ部の部分拡大図。
【図１２】図１０に示す状態から図６の外蓋を図２の中栓に対して開方向に更に回転せしめた状態の、一部を断面で示す正面図。
【発明を実施するための形態】
【００１１】
以下、本発明に従って構成された容器蓋の好適実施形態を図示している添付図面を参照して、更に詳細に説明する。
【００１２】
図１を参照して説明すると、本発明に従って構成された、全体を番号２で示す容器蓋は中栓４及び外蓋６を具備している。
【００１３】
図２乃至図５を参照して説明すると、ポリエチレン又はポリプロピレンの如き適宜の合成樹脂から射出成形又は圧縮成形することができる中栓４は閉塞壁８を含む。閉塞壁８の中央部位には破断可能薄肉ライン１０によって円形の除去領域１２が規定されている。破断可能薄肉ライン１０は閉塞壁８の下面に断面が略Ｖ字状の円環形状の溝を形成して薄肉残留部１４を残留せしめることによって規定されている。除去領域１２は、閉塞壁８における除去領域１２以外の他の部分よりも幾分下方に位置している。除去領域１２の上面外周縁部には、上方に延出する円筒形被係止壁１６が形成されている。被係止壁１６の内周面の下端部には、周方向に間隔をおいて複数個、図示の実施形態においては６個、のラチェット部１８が配設されている。ラチェット部１８の閉回転方向側面、つまり図４における時計方向側面は被係止壁１６の内周面から半径方向内方に向かって鋭く切り立っている。一方、ラチェット部１８の開回転方向側面、つまり図４における反時計方向側面は被係止壁１６の内周面から半径方向内方に向かって緩やかに延びている。被係止壁１６の上端には、上方に向かって径方向内側に傾斜する被係止片２０が周方向に連続して形成されている。中栓４は破断可能薄肉ライン１０の半径方向外方に配設されている円筒形装着壁２２も含んでおり、閉塞壁８の外周縁は装着壁２２の基端部の内周面に接続されている。装着壁２２は被係止壁１６を超えて上方に延出しており、その上下方向中間部の外周面には雄螺条２４が形成されている。図４を参照することによって理解されるとおり、図示の実施形態においては、雄螺条２４は周方向に等角度間隔をおいて配置された３条ねじによって構成されており、いずれのねじもリードが６ｍｍ、ピッチが２ｍｍに設定されている。装着壁２２の上端部の外周面には円環形状の溝２６が形成されており、装着壁２２の上端部における上記溝２６よりも上方部位は半径方向外側に向かって湾曲したリップ形状にせしめられている。装着壁２２の上端部がリップ状にせしめられていることで、後述するとおりにして容器の内容物を排出する際の注ぎ出し性が良好なものとなる。
【００１４】
閉塞壁８の外周縁乃至装着壁２２の下端には、容器の口部に連結される連結部２８が固着されている。連結部２８は、円筒形状の上側筒壁３０と、上側筒壁３０の下端において径方向外方に延出する円環形状の中間壁３２と、中間壁３２の外周縁において下方に垂下する円筒形状の下側筒壁３４とを備えている。下側筒壁３４の外周面の上端部には、径方向外方に突出する支持突起３６が周方向に等角度間隔をおいて４つ設けられている。下側筒壁３４の外周面の下端部には、径方向外方に延出する円環形状の支持フランジ３８が設けられている。支持フランジ３８は支持突起３６よりも径方向外方に大きく延出している。
【００１５】
図６乃至図８を参照して説明を続けると、ポリプロピレン又はポリエチレンの如き適宜の合成樹脂から射出成形或いは圧縮成形することができる外蓋６は、天面壁４０とこの天面壁４０の内面から垂下する円筒形係止壁４２とを含む。天面壁４０は円形であり、係止壁４２は天面壁４０と同心状に設けられている。係止壁４２の外周面の下端部には、中栓４の上記６個のラチェット部１８に対応して、６個のラチェット爪４４が形成されている。ラチェット爪４４の各々は周方向に等角度間隔をおいて配置されており、係止壁４２の外周面から開回転方向、つまり図８における時計方向に向かって半径方向外方に突出する矩形フラップ片から構成されている。係止壁４２の外周面には、ラチェット爪４４よりも上方の上下方向中間部において、周方向に連続して延びる環状係止突条４６も形成されている。天面壁４０の内面における係止壁４２の半径方向外側には、下方に垂下する円筒形状のシール壁４８が形成されている。シール壁４８は係止壁４２と同心状に配置されており、係止壁４２よりも天面壁４０からの垂下長さが短い。外蓋６は、天面壁４０の周縁から垂下するスカート壁５０も含んでいる。スカート壁５０は円錐台筒形状の上端部と円筒形状の主部を有する。スカート壁５０の主部内周面には、中栓４の上記雄螺条２４と協働する雌螺条５２が形成されている。
【００１６】
次に、上述したとおりの容器蓋の使用様式について説明する。図示の容器蓋においては、容器に適用する前に、中栓４に外蓋６が組み合わされる。この際には、中栓４に外蓋６を被嵌して閉回転（図１において上方から見て時計方向）に回転せしめ、中栓４の雄螺条２４に外蓋６の雌螺条５２を螺合せしめる。雄螺条２４と雌螺条５２との螺合の進行に応じて中栓４に対して外蓋６は漸次下降し、外蓋６の係止突条４６は中栓４の被係止片２０を弾性的に乗り越えてその下方に位置する。また、外蓋６のラチェット爪４４の各々は、弾性的に変形して中栓４のラチェット部１８を周方向に乗り越えて移動せしめられる。中栓４に対して外蓋６が所要とおりに装着された状態においては、外蓋６のシール壁４８が中栓４の装着壁２２の上端部内径側に進入し、装着壁２２の上端部内周面に密接せしめられる。また、外蓋６のラチェット爪４４は中栓４のラチェット部１８に対向して位置する。本発明の容器蓋においては、図９を参照することによって明確に理解されるとおり、中栓４に外蓋６が組み合わされた状態、つまり外蓋６が中栓４に螺着された状態で且つ外蓋６が未だ開方向に回転せしめられていない状態において、中栓４のラチェット部１８の下端及び外蓋６のラチェット爪４４の下端は、破断可能薄肉ライン１０を規定する薄肉残留部１４の下面よりも下方に位置することが重要である。図示の実施形態においては、外蓋６が中栓４に螺着された状態で且つ外蓋６が未だ開方向に回転せしめられていない状態において、中栓４のラチェット部１８の下端及び外蓋６のラチェット爪４４の下端は破断可能薄肉ライン１０を規定する薄肉残留部１４の上面よりも０．５０乃至１．００ｍｍ下方に位置する。
【００１７】
上述した通りに組み合わされた容器蓋２は、ボール紙を主層とする材料から形成された容器の口部に適用される。更に詳しくは、容器の口部を規定している壁部５４（その一部を図１に二点鎖線で図示している）が、中栓４の連結部２８の下側筒壁３４に形成されている支持突起３６と支持フランジ３８との間に位置せしめられ、容器の壁部５４に中栓４の支持フランジ３８が溶着の如き適宜の様式によって固定される。
【００１８】
容器の内容物を消費する際には、外蓋６のスカート壁５０に指を掛けて、中栓４に装着されている外蓋６を上方から見て反時計方向に回転する。中栓４に対して外蓋６を上記方向に回転すると、外蓋６のスカート壁５０に形成されている雌螺条５２と中栓４に形成されている雄螺条２４との螺合が解除されて中栓４に対して外蓋６が上昇せしめられると共に、外蓋６のラチェット爪４４が中栓４のラチェット部１８と周方向に、外蓋６の係止突条４６が中栓４の被係止片２０と軸方向に夫々係合する。上記係合によって外蓋６から中栓４に力が伝えられ、破断可能薄肉ライン１０に応力が生成され破断可能薄肉ライン１０が破断せしめられる（図１０を参照されたい）。
【００１９】
本発明の容器蓋においては、外蓋６が中栓４に螺着された状態で且つ外蓋６が未だ開方向に回転せしめられていない状態において、中栓４のラチェット部１８の下端及び外蓋６のラチェット爪４４の下端は、破断可能薄肉ライン１０を規定する薄肉残留部１４の下面よりも下方に位置し、外蓋６を開方向に回転せしめると、外蓋６は回転と共に上昇せしめられ、外蓋６のラチェット爪４４の下端が破断可能薄肉ライン１０を規定している薄肉残留部１４の上面を超えるまでに或いは超えた直後に破断可能薄肉ライン１０が破断されることが重要である。従って、外蓋６が螺着された状態で且つ外蓋６が未だ開方向に回転せしめられていないときの中栓４に対する外蓋６の上下方向位置を初期位置とし、初期位置から外蓋６を開方向に回転せしめて外蓋６のラチェット爪４４と中栓４のラチェット部１８との係合が開始するときの中栓４に対する外蓋６の上下方向位置を係合位置とすると（係合位置にあるときの外蓋６のラチェット爪４４の下端及び係止壁４２の下端を図９において二点鎖線で示す）、初期位置から係合位置までの外蓋６の上下方向移動距離は、初期位置における外蓋６のラチェット爪４４の下端から薄肉残留部１４の上面までの上下方向距離以下となる。つまり、上記初期位置から上記係止位置までの中栓４に対する外蓋６の回転角度をα、外蓋６の雌螺条５２のリードをＬとすると、中栓４に対する外蓋６の回転による外蓋６の上昇移動距離ＨはＨ＝Ｌ×α／３６０で表され、外蓋６が螺着した状態のラチェット爪４４の下端から薄肉残留部１４の上面までの上下方向距離をＳとすると、Ｈ≦Ｓとなる（図９を参照されたい）。
【００２０】
それ故に、本発明の容器蓋においては、外蓋６のラチェット爪４４と中栓４のラチェット部１８とは、外蓋６のラチェット爪４４の下端が破断可能薄肉ライン１０を規定する薄肉残留部１４の下面よりも下方にあるときから共働を開始する。破断可能薄肉ライン１０に応力が生成される間、外蓋６のラチェット爪４４と中栓４のラチェット部１８とが係合する部位は、破断可能薄肉ライン１０を規定する薄肉残留部１４の内径側においてこれと近接して位置する。これにより、破断可能薄肉ライン１０に応力が生成される間、外蓋６のラチェット爪４４から中栓４のラチェット部１８を介して中栓４に伝えられる力は破断可能薄肉ライン１０を規定する薄肉残留部１４に効果的に作用し、破断可能薄肉ライン１０を破断する際の必要トルクが低減する。図示の実施形態においては、外蓋６が中栓４に螺着された状態で且つ外蓋６が未だ開方向に回転せしめられていない状態から外蓋６が開方向に４５度回転されると、外蓋６のラチェット爪４４の下端は破断可能薄肉ライン１０を規定している薄肉残留部１４の上面と整合乃至その近傍に位置し、かかる位置にて薄肉残留部１４が破断される。このとき、雄螺条２４を構成する３つのねじは何れもリードが６ｍｍ、ピッチが２ｍｍに設定されていることから、外蓋６は螺着された状態から０．７５ｍｍ上昇したときに、薄肉残留部１４が破断されることとなる。従って、本実施形態では外蓋６が中栓４に螺着された状態で且つ外蓋６が未だ開方向に回転せしめられていない状態における、薄肉残留部１４の下面とラチェット爪４４の下端の上下方向距離は０．７５ｍｍ以上確保されていることが好ましい。
【００２１】
破断可能薄肉ライン１０が破断された後、外蓋６を更に上記方向に回転すると、係止壁４２に配設されている係止突条４６と被係止壁１６に配設されている被係止片２０との共働によって除去領域１２が外蓋６と共に上昇されるようになる。図１２に示すとおり、除去領域１２が閉塞壁８のその他の部分から分離され外蓋６と共に除去領域１２が中栓４に対して上昇することで、閉塞壁８には排出開口５６が形成される。そして、中栓４の雄螺条２４から外蓋６の雌螺条５２が完全に螺合解除され、中栓４から外蓋４が離脱された後に、排出開口５６を通して容器の内容物が排出される。容器の内容物を部分的に消費した後においては、中栓４に外蓋６を被嵌し外蓋６を上記方向とは反対の方向、即ち上方から見て時計方向に回転せしめて中栓４に外蓋６を再び装着し、かくして容器の口部を仮密封することができる。所望ならば、外蓋６を中栓４に再装着する前に、外蓋６から除去領域１２を取り出すこともできる。
【００２２】
以上、本発明に従って構成された容器蓋の好適実施形態について添付図面を参照して詳細に説明したが、本発明はかかる好適実施形態に限定されるものではなく、本発明の技術的範囲を逸脱することなく、種々の変形乃至修正が可能であることは多言を要しない。例えば、図示の実施形態においては、破断可能薄肉ラインは閉塞壁の下面に溝を形成して規定されているが、閉塞壁の上面に溝を形成して規定するようにしてもよい。また、図示の実施形態においては、中栓のラチェット部は被係止壁の内周面に、外蓋のラチェット爪は係止壁の外周面に夫々配設されていたが、これに替えて、中栓のラチェット部は被係止壁の外周面に、外蓋のラチェット爪は係止壁の内周面に夫々配設されているようにしてもよい。また、図示の実施形態においては、本発明の容器蓋は、ボール紙を主層とする材料から形成された容器の口部に装着されたが、これに替えて、例えば上記特許文献１に示されるような、ガラス、金属、或いはポリエチレンテレフタレートの如き適宜の合成樹脂により形成された容器の口頸部に装着されるようにすることもできる。この場合には、中栓を容器の口頸部に嵌合させることで、容器蓋を容器に装着させることができる。この場合には更に、外蓋のスカート壁に形成されている雌螺条を容器の口頸部に形成されている雄螺条に螺合せしめて外蓋を容器の口頸部に装着することもできる。
【符号の説明】
【００２３】
２：容器蓋
４：中栓
６：外蓋
８：閉塞
１０：破断可能薄肉ライン
１２除去領域
１４：薄肉残留部
１６：被係止壁
１８：中栓のラチェット部
４０：天面壁
４２：係止壁
４４：外蓋のラチェット爪
【図１】
2020192987.tif 000003
【図２】
2020192987.tif 000004
【図３】
2020192987.tif 000005
【図４】
2020192987.tif 000006
【図５】
2020192987.tif 000007
【図６】
2020192987.tif 000008
【図７】
2020192987.tif 000009
【図８】
2020192987.tif 000010
【図９】
2020192987.tif 000011
【図１０】
2020192987.tif 000012
【図１１】
2020192987.tif 000013
【図１２】
2020192987.tif 000014